(57)【要約】  積層型コンデンサは、複数の誘電体層が積層された、一対の面、一対の側面および一対の端面を有する積層体と、複数の誘電体層の層間に積層方向に間隔を置いて配置された複数の内部電極と、一対の側面にそれぞれ配置された、互いに異なる内部電極に電気的に接続された一対の外部電極とを備えている。一対の側面は、凹状に湾曲した湾曲面を有している。一対の外部電極は、側面の中央部を含むように配置された側面部と側面部から前記一対の面のうち第１の面に延在する第１の面延在部と側面部から一対の面のうち第２の面に延在する第２の面延在部とを有し、側面部が凹状に湾曲している。
2017090530.tif 000002
【特許請求の範囲】
【請求項１】
複数の誘電体層が積層された、一対の面、一対の側面および一対の端面を有する積層体と、前記複数の誘電体層の層間に積層方向に間隔を置いて配置された複数の内部電極と、前記一対の側面にそれぞれ配置された、互いに異なる前記内部電極に電気的に接続された一対の外部電極とを備え、
前記一対の側面は、凹状に湾曲した湾曲面を有しており、
前記一対の外部電極は、前記湾曲面の中央部を含むように配置された側面部と該側面部から前記一対の面のうち第１の面に延在する第１の面延在部と前記側面部から前記一対の面のうち第２の面に延在する第２の面延在部とを有し、前記側面部が凹状に湾曲していることを特徴とする積層型コンデンサ。
【請求項２】
前記積層体は、前記積層体の長手方向に垂直な方向の断面視において前記第１の面が両端部に曲面部を有するように凸状に湾曲しており、前記第１の面延在部は、前記曲面部に沿って湾曲していることを特徴とする請求項１に記載の積層型コンデンサ。
【請求項３】
複数の誘電体層が積層された、一対の面、一対の側面および一対の端面を有する積層体と、前記複数の誘電体層の層間に積層方向に間隔を置いて配置された複数の内部電極と、前記一対の端面にそれぞれ配置された、互いに異なる前記内部電極に電気的に接続された一対の外部電極とを備え、
前記一対の端面は、凹状に湾曲した湾曲面を有しており、
前記一対の外部電極は、前記湾曲面の中央部を含むように配置された端面部と該端面部から前記一対の面のうち第１の面に延在する第１の面延在部と前記端面部から前記一対の面のうち第２の面に延在する第２の面延在部とを有し、前記端面部が凹状に湾曲していることを特徴とする積層型コンデンサ。
【請求項４】
前記積層体は、前記積層体の短手方向に垂直な方向の断面視において前記第１の面が両端部に曲面部を有するように凸状に湾曲しており、前記第１の面延在部は、前記曲面部に沿って湾曲していることを特徴とする請求項３に記載の積層型コンデンサ。
【請求項５】
請求項１または請求項２に記載の積層型コンデンサと該積層型コンデンサが実装される基板電極を備えた基板とが、前記第１の面延在部と前記基板電極とを対向させて配置されているとともに、前記第１の面延在部と前記基板電極とが導電性接合材を介して接合されていることを特徴とする実装構造体。
【請求項６】
請求項３または請求項４に記載の積層型コンデンサと該積層型コンデンサが実装される基板電極を備えた基板とが、前記第１の面延在部と前記基板電極とを対向させて配置されているとともに、前記第１の面延在部と前記基板電極とが導電性接合材を介して接合されていることを特徴とする実装構造体。
【発明の詳細な説明】
【技術分野】
【０００１】
本発明は、複数の誘電体層と内部電極とが交互に積層された積層体に一対の外部電極を設けた積層型コンデンサに関するものである。
【背景技術】
【０００２】
積層型コンデンサは、誘電体層と内部電極とが交互に積層されており、誘電体層を構成するセラミック材料としては、誘電率が比較的高いチタン酸バリウム等の強誘電体材料が一般的に用いられている。例えば、このような積層型コンデンサは、交流電圧が印加されると、電圧による電歪効果よって誘電体層に歪みが発生して振動する。積層型コンデンサは、はんだ等を介して基板に実装されており、はんだ接合部を介して振動を基板に伝播させる。さらに、積層型コンデンサは、振動によって基板を共鳴させるとともに振動を増幅させて、基板に振動音を発生させる。したがって、基板は、可聴域の共振周波数で共振した際に、可聴音を発生し、いわゆる、「音鳴き」という現象を生じる。このように、積層型コンデンサは、一対の外部電極と基板電極とがはんだを介して実装されており、振動がはんだ接合部を介して基板を変形させるので、基板において振動音を発生させることになる。例えば、特許文献１には、積層体の一対の側面の中央部に一対の外部電極を設けた積層型コンデンサが開示されている。
【先行技術文献】
【特許文献】
【０００３】
【特許文献１】特開２００７−１９４３１２号公報
【発明の概要】
【０００４】
本開示の積層型コンデンサは、複数の誘電体層が積層された、一対の面、一対の側面および一対の端面を有する積層体と、前記複数の誘電体層の層間に積層方向に間隔を置いて配置された複数の内部電極と、前記一対の側面にそれぞれ配置された、互いに異なる前記内部電極に電気的に接続された一対の外部電極とを備えている。前記一対の側面は、凹状に湾曲した湾曲面を有している。前記一対の外部電極は、前記湾曲面の中央部を含むように配置された側面部と該側面部から前記一対の面のうち第１の面に延在する第１の面延在部と前記側面部から前記一対の面のうち第２の面に延在する第２の面延在部とを有し、前記側面部が凹状に湾曲している。
【０００５】
また、本開示の積層型コンデンサは、複数の誘電体層が積層された、一対の面、一対の側面および一対の端面を有する積層体と、前記複数の誘電体層の層間に積層方向に間隔を置いて配置された複数の内部電極と、前記一対の端面にそれぞれ配置された、互いに異なる前記内部電極に電気的に接続された一対の外部電極とを備えている。前記一対の端面は、凹状に湾曲した湾曲面を有している。前記一対の外部電極は、前記湾曲面の中央部を含むように配置された端面部と該端面部から前記一対の面のうち第１の面に延在する第１の面延在部と前記端面部から前記一対の面のうち第２の面に延在する第２の面延在部とを有し、前記端面部が凹状に湾曲している。
【図面の簡単な説明】
【０００６】
【図１】（ａ）は実施の形態１に係る積層型コンデンサを示す概略の斜視図であり、（ｂ）は（ａ）に示す積層型コンデンサのＡ−Ａ線で切断した断面図であり、（ｃ）は（ａ）に示す積層型コンデンサのＢ−Ｂ線で切断した断面図である。
【図２】（ａ）〜（ｃ）は内部電極を説明するための模式的な平面図である。
【図３】（ａ）は図１に示す積層型コンデンサを基板上に実装した状態を示す概略の斜視図であり、（ｂ）は（ａ）に示す積層型コンデンサをＣ−Ｃ線で切断したものであって、積層型コンデンサを基板に実装した実装構造体を示す断面図である。
【図４】図３（ｂ）に示す積層型コンデンサの要部Ａの拡大図である。
【図５】（ａ）〜（ｃ）ははんだフィレットが形成される状態を模式的に説明するための説明図である。
【図６】（ａ）は実施の形態２に係る積層型コンデンサを示す概略の斜視図であり、（ｂ）は（ａ）に示す積層型コンデンサのＤ−Ｄ線で切断した断面図であり、（ｃ）は（ａ）に示す積層型コンデンサのＥ−Ｅ線で切断した切断部端面図である。
【図７】（ａ）〜（ｃ）は内部電極を説明するための模式的な平面図である。
【図８】（ａ）は図６に示す積層型コンデンサを基板上に実装した状態を示す概略の斜視図であり、（ｂ）は（ａ）に示す積層型コンデンサをＦ−Ｆ線で切断したものであって、積層型コンデンサを基板に実装した実装構造体を示す断面図である。
【図９】図１に示す積層型コンデンサの製造方法を説明するための説明図である。
【発明を実施するための形態】
【０００７】
従来の積層型コンデンサは、一対の側面の中央部に一対の外部電極が設けられ、外部電極と基板電極がはんだを介して実装される。その結果、はんだフィレット層は、外部電極の上方にまで形成され、振動振幅の大きい側面の中央部を含むことになり、振動を基板に伝播しやすくなる。
【０００８】
本開示の積層型コンデンサにおいては、外部電極と基板電極とをはんだを介して実装した場合、一対の外部電極が凹状に湾曲しており、はんだフィレット層が外部電極の上方にまで形成されにくく、振動を基板に伝播しにくくすることができる。以下、本開示の積層型コンデンサについて、詳細に説明する。
【０００９】
＜実施の形態１＞
以下、本開示の実施の形態１に係る積層型コンデンサ１０について図面を参照しながら説明する。また、積層型コンデンサ１０は、便宜的に、直交座標系ＸＹＺを定義するとともに、Ｚ方向の正側を上方として、上面もしくは下面の用語を用いるものとする。本実施の形態では、一対の面のうち下面が第１の面４ａとなり、上面が第２の面４ｂとなる。なお、各図面において、同じ部材および同じ部分に関しては共通の符号を用いて、重複する説明は適宜省略する。
【００１０】
図１（ａ）は、本開示の実施の形態１に係る積層型コンデンサ１０を示す概略の斜視図である。積層型コンデンサ１０は、複数の誘電体層１ａが積層されており、積層体１と、内部電極２と、一対の外部電極３とを備えている。積層体１は、一対の面、一対の側面および一対の端面を有している。複数の内部電極２（第１の内部電極２ａおよび第２の内部電極２ｂ）は、複数の誘電体層１ａの層間に積層方向に間隔を置いて配置されている。一対の外部電極３（第１の外部電極３ａおよび第２の外部電極３ｂ）は、一対の側面にそれぞれ配置されており、互いに異なる内部電極２に電気的に接続されている。このように、積層体１は、内部に第１の内部電極２ａと第２の内部電極２ｂとが誘電体層１ａを介して交互に積層されたものである。
【００１１】
積層体１は、互いに対向する第１の面４ａおよび第２の面４ｂが誘電体層１ａと内部電極２（第１の内部電極２ａおよび第２の内部電極２ｂ）との積層方向にそれぞれ位置している。また、互いに対向する一対の側面（第１の側面４ｅおよび第２の側面４ｆ）は、第１の面４ａと第２の面４ｂとの間に位置するとともに第１の面４ａおよび第２の面４ｂの長辺側に隣接している。互いに対向する一対の端面（第１の端面４ｃおよび第２の端面４ｄ）は、第１の面４ａと第２の面４ｂとの間に位置するとともに第１の面４ａおよび第２の面４ｂの短辺側に隣接している。なお、一対の側面（第１の側面４ｅおよび第２の側面４ｆ）は、積層体１の長手方向（Ｘ方向）に沿って位置している。また、一対の端面（第１の端面４ｃおよび第２の端面４ｄ）は、積層体１の短手方向（Ｙ方向）に沿って位置している。
【００１２】
積層体１は、図１に示すように、一対の側面（第１の側面４ｅおよび第２の側面４ｆ）が凹状に湾曲しており、また、一対の端面（第１の端面４ｃおよび第２の端面４ｄ）が凹状に湾曲している。
【００１３】
また、積層体１は、下面の第１の面４ａが下方（Ｚ方向の負側）に向かって湾曲し、上面の第２の面４ｂが上方（Ｚ方向の正）に向かって湾曲している。すなわち、積層体１は、図１に示すように、積層体１の長手方向に垂直な方向の断面視において第１の面４ａが両端部から中央部に向かって曲線となる曲面部４ｇを両端部に有している。また、積層体１は、第２の面４ｂが両端部から中央部に向かって曲線となる曲面部４ｈを両端部に有している。積層体１は、第１の面４ａが下方に向かって緩やかな凸曲面となり、また、第２の面４ｂが上方に向かって緩やかな凸曲面となっている。
【００１４】
このように、積層体１は、一対の面、一対の側面および一対の端面を有し、直方体状であり、一対の側面および一対の端面がそれぞれ凹状に湾曲し、湾曲面を有している。また、積層体１は、第１の面４ａおよび第２の面４ｂも凸状に湾曲している。ここでは、直方体状とは、一対の側面が凹状に湾曲し、一対の端面が凹状に湾曲しているものをいう。また、積層体１は、稜線部がＲ形状になっていてもよい。
【００１５】
積層体１は、誘電体層１ａの表面に内部電極２が形成されたセラミックグリーンシートを複数枚積層して焼成することで得られる焼結体である。また、積層体１は、誘電体層１ａおよび内部電極２を同時に焼成する時に、互いの収縮率の差を利用することによって、一対の側面および一対の端面を凹状に湾曲させることができ、また、一対の面を凸状に湾曲させることができる。
【００１６】
一対の外部電極３は、図１に示すように、第１の外部電極３ａと第２の外部電極３ｂとを含んでいる。第１の外部電極３ａは、側面部３ａ１と第１の面延在部３ａ２と第２の面延在部３ａ３とを有している。側面部３ａ１は、凹状に湾曲する第１の側面４ｅの中央部を含むように第１の側面４ｅに設けられている。第１の面延在部３ａ２は、側面部３ａ１から積層体１の短手方向（Ｙ方向）の中央部に向かって第１の面４ａ上に延在している。また、第２の面延在部３ａ３は、側面部３ａ１から積層体１の短手方向（Ｙ方向）の中央部に向かって第２の面４ｂ上に延在している。このように、積層型コンデンサ１０は、図１に示すように、側面部３ａ１が第１の側面４ｅの凹状に湾曲した湾曲面に設けられ、凹状に湾曲している。
【００１７】
また、第２の外部電極３ｂは、側面部３ｂ１と第１の面延在部３ｂ２と第２の面延在部３ｂ３とを有している。側面部３ｂ１は、凹状に湾曲する第２の側面４ｆの中央部を含むように第２の側面４ｆに沿って設けられている。第１の面延在部３ｂ２は、側面部３ｂ１から積層体１の短手方向（Ｙ方向）の中央部に向かって第１の面４ａ上に延在している。第２の面延在部３ｂ３は、側面部３ｂ１から積層体１の短手方向（Ｙ方向）の中央部に向かって第２の面４ｂ上に延在している。このように、積層型コンデンサ１０は、図１に示すように、側面部３ｂ１が第２の側面４ｆの凹状に湾曲した湾曲面に設けられ、凹状に湾曲している。
【００１８】
内部電極２は、図１に示すように、第１の内部電極２ａと第２の内部電極２ｂとを含んでいる。第１の内部電極２ａおよび第２の内部電極２ｂは、所定間隔を介して互いに対向しており、複数の誘電体層１ａを介して積層方向に所定間隔で交互に配置されている。図１（ｂ）に示すように、積層体１の短手方向の垂直な方向の断面視において、第１の面４ａの形状に沿うように、下方に位置する内部電極２は下方に緩やかに湾曲し、第２の面４ｂの形状に沿うように、上方に位置する内部電極２は上方に緩やかに湾曲している。また、図１（ｃ）に示すように、積層体１の長手方向に垂直な方向の断面視において、第１の面４ａの形状に沿うように、下方に位置する内部電極２は下方に緩やかに湾曲し、第２の面４ｂの形状に沿うように、上方に位置する内部電極２は上方に緩やかに湾曲している。
【００１９】
第１の外部電極３ａは、図１および図２に示すように、側面部３ａ１が凹状に湾曲した第１の側面４ｅの中央部を含むように配置され、第１の側面４ｅに引き出された第１の内部電極２ａに電気的に接続されている。また、第２の外部電極３ｂは、図１および図２に示すように、側面部３ｂ１が凹状に湾曲した第２の側面４ｆの中央部を含むように配置され、第２の側面４ｆに引き出された第２の内部電極２ｂに電気的に接続されている。
【００２０】
第１の内部電極２ａは、図２（ｂ）に示すように、第１の側面４ｅ側の中央部に第１の側面４ｅへの引出部２ａａを有しており、引出部２ａａが第１の側面４ｅに引き出され、第１の側面４ｅに露出するように配置されている。
【００２１】
また、第２の内部電極２ｂは、図２（ｃ）に示すように、第２の側面４ｆ側の中央部に第２の側面４ｆへの引出部２ｂａを有しており、引出部２ｂａが第１の側面４ｅに対向する第２の側面４ｆに引き出され、第２の側面４ｆに露出するように配置されている。なお、第１の内部電極２ａおよび第２の内部電極２ｂは、第１の端面４ｃおよび第２の端面４ｄには露出していない。図２（ａ）は、第１の側面４ｅに露出する第１の内部電極２ａを実線で示し、第２の側面４ｆに露出する第２の内部電極２ｂを破線で示している。
【００２２】
このように、積層型コンデンサ１０は、第１の外部電極３ａが凹状に湾曲した第１の側面４ｅの中央部に設けられ、第２の外部電極３ｂが凹状に湾曲した第２の側面４ｆの中央部に設けられている。第１の外部電極３ａは、図２（ｂ）に示すように、側面部３ａ１が第１の側面４ｅに引き出された第１の内部電極２ａの引出部２ａａを覆うように設けられ、第１の内部電極２ａに電気的に接続されている。また、第２の外部電極３ｂは、図２（ｃ）に示すように、側面部３ｂ１が第２の側面４ｆに引き出された第２の内部電極２ｂの引出部２ｂａを覆うように設けられ、第２の内部電極２ｂに電気的に接続されている。
【００２３】
なお、第１の側面４ｅの中央部とは、第１の側面４ｅを垂直に２等分する２等分線８を含む領域であり、第１の外部電極３ａは側面部３ａ１がこの領域を含んで設けられている。また、第２の側面４ｆの中央部とは、第２の側面４ｆを垂直に２等分する２等分線８を含む領域であり、第２の外部電極３ｂは側面部３ｂ１がこの領域を含んで設けられている。なお、図２は、２等分線８を長鎖線で示している。
【００２４】
このように、内部電極２は、１層毎に異なる外部電極３に電気的に接続されており、一対の外部電極３に電圧が印加されると、第１の内部電極２ａと第２の内部電極２ｂに挟まれた誘電体層１ａにおいて静電容量が発生する。
【００２５】
積層型コンデンサ１０は、長手方向（Ｘ方向）の長さが、例えば、０．６（ｍｍ）〜２．２（ｍｍ）であり、短手方向（Ｙ方向）の長さが、例えば、０．３（ｍｍ）〜１．５（ｍｍ）であり、高さ方向（Ｚ方向）の長さが、例えば、０．３（ｍｍ）〜１．２（ｍｍ）である。
【００２６】
内部電極２は、図２に示すように、積層方向（Ｚ方向）からの平面視において、長方形状である。また、図１に示す誘電体層１ａおよび内部電極２の構造は、模式的なものであり、実際には数層〜数百層の誘電体層１ａと内部電極２とが積層されたものが多く用いられている。誘電体層１ａは、１層当たりの厚みが、例えば、０．２（μｍ）〜３（μｍ）である。積層体１は、例えば、１０（層）〜１０００（層）の複数の誘電体層１ａと内部電極２とがＺ方向に積層されている。また、積層体１内の内部電極２の積層数は、積層型コンデンサ１０の特性等に応じて適宜に設定される。
【００２７】
誘電体層１ａは、例えば、チタン酸バリウム（ＢａＴｉＯ３）、チタン酸カルシウム（ＣａＴｉＯ３）、チタン酸ストロンチウム（ＳｒＴｉＯ３）またはジルコン酸カルシウム（ＣａＺｒＯ３）等である。また、誘電体層１ａは、高い誘電率の点から、特に、誘電率の高い強誘電体材料としてチタン酸バリウムを用いてもよい。
【００２８】
図２に示すように、引出部２ａａおよび引出部２ｂａは、積層体１の長手方向（Ｘ方向）に沿った長さがほぼ同じ長さになるように設けられている。これに限らず、引出部２ａａおよび引出部２ｂａは、積層体１の長手方向（Ｘ方向）に沿った長さが互いに異なっていてもよい。
【００２９】
引出部２ａａ（引出部２ｂａ）は、振動の対称性を保ち、基板を振動させる要素を低減するために、第１の側面４ｅ（第２の側面４ｆ）における露出部が第１の側面４ｅ（第２の側面４ｆ）の２等分線８を含むように設けてもよい。
【００３０】
内部電極２の導電材料は、例えば、ニッケル（Ｎｉ）、銅（Ｃｕ）、銀（Ａｇ）、パラジウム（Ｐｄ）または金（Ａｕ）等の金属材料である。または、内部電極２の導電性材料は、これらの金属材料の一種以上を含む、例えば、Ａｇ−Ｐｄ合金等の合金材料である。第１の内部電極２ａおよび第２の内部電極２ｂは、電極の厚みが、例えば、０．２（μｍ）〜２（μｍ）であり、用途に応じて厚みを適宜に設定すればよい。また、第１の内部電極２ａおよび第２の内部電極２ｂは、同一の金属材料または合金材料を用いて形成してもよい。
【００３１】
第１の外部電極３ａは、第１の側面４ｅから第１の面４ａおよび第２の面４ｂにかけて設けられており、また、第２の外部電極３ｂは、第２の側面４ｆから第１の面４ａおよび第２の面４ｂにかけて設けられている。
【００３２】
一対の外部電極３は、下地電極５と金属層６とを含んでいる。一対の下地電極５は、第１の下地電極が凹状に湾曲した第１の側面４ｅから第１の面４ａおよび第２の面４ｂに延在するように設けられ、また、第２の下地電極が凹状に湾曲した第２の側面４ｆから第１の面４ａおよび第２の面４ｂに延在するように設けられている。金属層６は、下地電極５を覆うように下地電極５の表面上に形成されている。
【００３３】
一対の下地電極５は、第１の下地電極が第１の側面４ｅに引き出された第１の内部電極２ａに電気的に接続され、第２の下地電極が第２の側面４ｆに引き出された第２の内部電極２ｂに電気的に接続されている。下地電極５の導電材料は、例えば、Ｃｕ（銅）、ニッケル（Ｎｉ）、銀（Ａｇ）、パラジウム（Ｐｄ）または金（Ａｕ）等の金属材料である。また、下地電極５の導電材料は、これらの金属材料の一種以上を含む、例えば、Ｃｕ−Ｎｉ合金等の合金材料である。一対の下地電極５は、積層体１の表面に同一の金属材料または同一の合金材料に用いて形成してもよい。
【００３４】
第１の外部電極３ａは、下地電極５と金属層６とからなり、第１の側面４ｅを含んで第１の面４ａから第２の面４ｂにわたって設けられている。また、第２の外部電極３ｂは、下地電極５と金属層６とからなり、第２の側面４ｆを含んで第１の面４ａから第２の面４ｂにわたって設けられている。
【００３５】
下地電極５は、図１（ｂ）および図１（ｃ）に示すように、積層体１の表面に設けられている。金属層６は、下地電極５の全体を覆うように設けられている。また、金属層６は、図１（ｂ）および図１（ｃ）に示すように、第１の金属層６ａと第２の金属層６ｂとを含んでいる。第１の金属層６ａは、下地電極５を覆うように下地電極５の表面上に設けられ、また、第２の金属層６ｂは、第１の金属層６ａを覆うように第１の金属層６ａの表面上に設けられる。
【００３６】
下地電極５は、第１の面４ａおよび第２の面４ｂにおける厚みが、例えば、３（μｍ）〜５（μｍ）であり、第１の側面４ｅおよび第２の側面４ｆにおける厚みが、例えば、５（μｍ）〜１０（μｍ）である。
【００３７】
一対の下地電極５は、例えば、ローラ転写法等を用いて、凹状に湾曲した第１の側面４ｅおよび第２の側面４ｆに設けられる。また、一対の外部電極３は、下地電極５上に金属層６を設けることによって得られる。
【００３８】
ローラ転写法は、図９に示すように、積層体１の送り速度および回転転写ローラ１６の回転速度を調整することによって、下地電極５となる導電性ペースト１７を積層体１の一対の側面および一対の面（第１の面４ａおよび第２の面４ｂ）に転写することができる。
【００３９】
また、このローラ転写法において、下地電極５となる導電性ペースト１７は、粘度を調整することによって、凹状に湾曲した一対の側面に均一に転写される。具体的には、導電性ペースト１７は、粘度を、例えば、１０（Ｐa・ｓ）〜２０（Ｐa・ｓ）にすることによって、表面張力が低くなる。これによって、転写される導電性ペースト１７は、厚みが薄くなるとともに、凹状に湾曲した一対の側面に沿って均一に転写され、一対の側面に凹状に湾曲して設けられる。なお、導電性ペースト１７は、射出ニードル１８から回転転写ローラ１６に供給され、スクレッパー１９で用いて膜厚が調整される。
【００４０】
このように、下地電極５となる導電性ペースト１７は、凹状に湾曲した第１の側面４ｅおよび第２の側面４ｆに設けられるとともに、第１の面４ａおよび第２の面４ｂに延在するように設けられる。
【００４１】
転写された導電性ペースト１７は、焼結して下地電極５となる。一対の下地電極５は、一対の側面（第１の側面４ｅおよび第２の側面４ｆ）の凹状に湾曲した形状に反映して凹状に湾曲している。下地電極５は、表面を覆うように金属層６を設けて一対の外部電極３となる。
【００４２】
したがって、積層型コンデンサ１０は、導電性ペースト１７を焼結することによって下地電極５を設け、さらに、下地電極５の表面を覆うように金属層６を設けて一対の外部電極３とすることができる。これによって、一対の外部電極３（第１の外部電極３ａおよび第２の外部電極３ｂ）は、側面部３ａ１および側面部３ｂ１が凹状に湾曲した湾曲面に沿って凹状に湾曲して設けられる。
【００４３】
金属層６は、例えば、第１の金属層６ａおよび第２の金属層６ｂがめっき層である。第１の金属層６ａは、下地電極５を覆うように下地電極５の表面上にめっき処理を用いて設けられる。第２の金属層６ｂは、第１の金属層６ａのめっき層を覆うように第１の金属層６ａのめっき層の表面上にめっき処理を用いて設けられる。
【００４４】
第１の金属層６ａおよび第２の金属層６ｂは、例えば、ニッケル（Ｎｉ）めっき層、銅（Ｃｕ）めっき層、金（Ａｕ）めっき層、銀（Ａｇ）めっき層または錫（Ｓｎ）めっき層等である。積層型コンデンサ１０は、例えば、第１の金属層６ａがニッケル（Ｎｉ）めっき層であり、第２の金属層６ｂが錫（Ｓｎ）めっき層である。第１の金属層６ａは、めっき層の厚みが、例えば、５（μｍ）〜１０（μｍ）であり、第２の金属層６ｂは、めっき層の厚みが、例えば、３（μｍ）〜５（μｍ）である。
【００４５】
ここで、図１に示す積層型コンデンサ１０の製造方法の一例について以下に説明する。
【００４６】
複数の第１および第２のセラミックグリーンシートを準備する。第１のセラミックグリーンシートは、第１の内部電極２ａを形成するものである。また、第２のセラミックグリーンシートは、第２の内部電極２ｂを形成するものである。
【００４７】
複数の第１のセラミックグリーンシートは、第１の内部電極２ａを形成するために、セラミックグリーンシート上に、第１の内部電極２ａの導体ペースト層が第１の内部電極２ａ用の導体ペースト用いて形成される。なお、第１のセラミックグリーンシートは、多数個の積層型コンデンサ１０を得るために、１枚のセラミックグリーンシート内に複数の第１の内部電極２ａが形成される。
【００４８】
また、複数の第２のセラミックグリーンシートは、上述の方法を用いて、第２の内部電極２ｂが形成される。
【００４９】
上述の第１の内部電極２ａの導体ペースト層および第２の内部電極２ｂの導体ペースト層は、セラミックグリーンシート上に、例えば、それぞれの導体ペーストを所定のパターン形状でスクリーン印刷法等を用いて形成される。
【００５０】
なお、第１および第２のセラミックグリーンシートは誘電体層１ａとなる。第１の内部電極２ａの導体ペースト層は、第１の内部電極２ａとなる。第２の内部電極２ｂの導体ペースト層は、第２の内部電極２ｂとなる。
【００５１】
セラミックグリーンシートの材料は、例えば、チタン酸バリウム（ＢａＴｉＯ３）、チタン酸カルシウム（ＣａＴｉＯ３）、チタン酸ストロンチウム（ＳｒＴｉＯ３）またはジルコン酸カルシウム（ＣａＺｒＯ３）等の誘電体セラミックスを主成分とするものである。副成分として、例えば、Ｍｎ化合物、Ｆｅ化合物、Ｃｒ化合物、Ｃｏ化合物またはＮｉ化合物等が添加されたものであってもよい。
【００５２】
第１および第２のセラミックグリーンシートは、誘電体セラミックスの原料粉末および有機バインダに適当な有機溶剤等を添加して混合することによって泥漿状のセラミックスラリーを作製し、ドクターブレード法等を用いて成形することによって得られる。
【００５３】
第１の内部電極２ａおよび第２の内部電極２ｂ用の導体ペーストは、上述したそれぞれの内部電極２の導体材料（金属材料）の粉末に添加剤（誘電体材料）、バインダ、溶剤、分散剤等を加えて混練することで作製される。第１の内部電極２ａおよび第２の内部電極２ｂの導電材料は、例えば、ニッケル（Ｎｉ）、銅（Ｃｕ）、銀（Ａｇ）、パラジウム（Ｐｄ）または金（Ａｕ）等の金属材料である。また、第１の内部電極２ａおよび第２の内部電極２ｂの導電材料は、これらの金属材料の一種以上を含む、例えばＡｇ−Ｐｄ合金等の合金材料が挙げられる。第１の内部電極２ａおよび第２の内部電極２ｂは、同一の金属材料または合金材料を用いて形成してもよい。
【００５４】
セラミック材料の積層体１は、第１のセラミックグリーンシートと第２のセラミックグリーンシートとを交互に積層して、内部電極２を形成していないセラミックグリーンシートを積層方向の最外層にそれぞれ積層することによって作製する。
【００５５】
このように、複数の第１および第２のセラミックグリーンシートが積層された積層体は、プレスして一体化することによって、多数個の生積層体を含む大型の生積層体となる。この大型の生積層体を切断することによって、図１に示す積層型コンデンサ１０の積層体１となる生積層体を得ることができる。大型の生積層体の切断は、例えば、ダイシングブレード等を用いて行なうことができる。
【００５６】
そして、積層体１は、生積層体を、例えば、８００（℃）〜１３００（℃）で焼成することによって得ることができる。積層体１は、誘電体層１ａおよび内部電極２の同時焼成時に、互いの収縮率の差を利用することによって、一対の側面および一対の端面が凹状に湾曲し、また、一対の面が凸状に湾曲することになる。
【００５７】
焼成することによって、複数の第１および第２のセラミックグリーンシートは、誘電体層１ａとなる。第１の内部電極２ａの導体ペースト層は、第１の内部電極２ａとなる。第２の内部電極２ｂの導体ペースト層は、第２の内部電極２ｂとなる。また、積層体１は、例えば、バレル研磨等の研磨手段を用いて角部または辺部が丸められる。積層体１は、角部または稜線部を丸めることによって、角部または稜線部が欠けにくいものとなる。
【００５８】
そして、一対の下地電極５は、例えば、ローラ転写法等を用いて、凹状に湾曲した第１の側面４ｅおよび第２の側面４ｆに設けられる。一対の下地電極５は、表面に金属層６を設けることによって、一対の外部電極３となる。一連の工程によって、積層型コンデンサ１０が得られる。
【００５９】
ここで、本実施の形態１に係る積層型コンデンサ１０の実装構造体について以下に説明する。
【００６０】
図３（ａ）は、積層型コンデンサ１０を基板９に実装した状態を示しており、図３（ｂ）は、積層型コンデンサ１０を基板９に実装した状態であって、図３（ａ）のＣ−Ｃ線で切断した断面図である。
【００６１】
積層型コンデンサ１０は、例えば、はんだを介して回路基板（以下、基板９という）上に実装される。基板９は、例えば、ノートパソコン、スマートフォンまたは携帯電話等に用いられるものである。基板９は、例えば、表面には積層型コンデンサ１０が電気的に接続される電気回路が形成されている。なお、基板９は、表面の絶縁層を省略して示している。
【００６２】
また、基板９は、図３に示すように、例えば、積層型コンデンサ１０の実装面には基板電極９ａおよび基板電極９ｂが設けられ、基板電極９ａから配線（図示せず）が延びており、また、基板電極９ｂから配線（図示せず）が延びている。積層型コンデンサ１０は、第１の面４ａが基板９の実装面に対向して配置され、例えば、第１の外部電極３ａと基板電極９ａとが導電性接合材を介して接合され、また、第２の外部電極３ｂと基板電極９ｂとが導電性接合材を介して接合される。導電性接合材は、例えば、はんだまたは導電性樹脂等である。本実施の形態は、導電性接合材として、はんだを用いており、一対の外部電極３と基板電極９ａおよび基板電極９ｂとがはんだ接合されている。
【００６３】
積層型コンデンサ１０の実装構造体は、図３に示すように、第１の面延在部３ａ２と基板電極９ａとが対向して配置され、第１の面延在部３ｂ２と基板電極９ｂとが対向して配置されている。したがって、積層型コンデンサ１０は、第１の面延在部３ａ２と基板電極９ａとがはんだを介して接合され、第１の面延在部３ｂ２と基板電極９ｂとがはんだを介して接合されている。はんだ接合は、例えば、基板電極９ａおよび基板電極９ｂ上に印刷したはんだによって行なわれる。使用するはんだ材料は、一対の外部電極３との濡れ性がよいものであれば特に限定されない。
【００６４】
図３および図４に示すように、実装構造体は、第１の外部電極３ａと基板電極９ａとの間および第２の外部電極３ｂと基板電極９ｂとの間にははんだ層が形成され、はんだフィレット層７が凹状に湾曲した側面部３ａ１および側面部３ｂ１に沿って形成される。
【００６５】
ここで、実施の形態１の積層型コンデンサ１０と比較するために、従来の積層型コンデンサ１０Ｂについて以下に説明する。
【００６６】
積層型コンデンサ１０Ｂは、図５（ｂ）に示すように、直方体状の積層体と、積層体の両側面に設けられた一対の外部電極（第１の外部電極３０ａ１および第２の外部電極３０ｂ１）とを備えている。図５（ｂ）は、基板９に実装した積層型コンデンサ１０Ｂの実装構造体を示している。
【００６７】
積層体は、図５（ｂ）に示すように、誘電体層と内部電極とが交互に積層されたものである。内部電極は、積層体の両端部の第１の外部電極３０ａ１または第２の外部電極３０ｂ１に電気的のいずれかに接続されている。また、積層型コンデンサ１０Ｂにおいて、誘電体層、内部電極および外部電極は、本実施の形態１に係る積層型コンデンサ１０と同じ材料を用いている。
【００６８】
積層型コンデンサ１０Ｂは、図５（ｂ）に示すように、第１の外部電極３０ａ１と基板電極９ａおよび第２の外部電極３０ｂ１と基板電極９ｂとがはんだを介して電気的に接合されている。はんだは、第１の外部電極３０ａ１と基板電極９ａとの間および第２の外部電極３０ｂ１と基板電極９ｂとの間の隙間を埋めるとともに、積層体の両側面部にはんだフィレット層７０を形成している。具体的には、はんだフィレット層７０は、一対の外部電極（第１の外部電極３０ａ１および第２の外部電極３０ｂ１）の両側面部に沿って形成されている。
【００６９】
ここで、はんだ接合におけるはんだフィレット層７およびはんだフィレット層７０について、図５（ａ）〜（ｃ）を参照しながら説明する。
【００７０】
はんだ接合において、はんだ接合のしやすさは、図５（ａ）に示すように、母材（例えば、基板電極）と溶融したはんだとが接触した際のぬれ角θで表わされる。
【００７１】
積層型コンデンサ１０Ｂは、図５（ｂ）に示すように、一対の外部電極（第１の外部電極３０ａ１および第２の外部電極３０ｂ１）が実装面（基板電極９ａおよび基板電極９ｂ）に対して垂直に配置されている。
【００７２】
はんだ接合において、リフロー等ではんだが溶融温度を超えると、溶融したはんだは、図５（ｂ）に示すように、積層型コンデンサ１０Ｂの外部電極とはんだフィレット層７０の側面に沿った側面線Ａ１とが成す固有のぬれ角θ１を有することになる。さらに、溶融したはんだは、実装面とはんだフィレット層７０の側面に沿った側面線Ａ２とが成す固有のねれ角θ２を有することになる。
【００７３】
溶融したはんだは、はんだの冷却とともに、溶融状態から固体状態に移行する際に、若干の凝固収縮があるものの、固有のぬれ角θ１およびぬれ角θ２とほぼ同じぬれ角θ１およびぬれ角θ２を有した状態で凝固する。これによって、溶融したはんだは、一対の外部電極３の側面にはんだフィレット層７０を形成する。
【００７４】
実施の形態１に係る積層型コンデンサ１０は、一対の外部電極３（第１の外部電極３ａおよび第２の外部電極３ｂ）の材料が積層型コンデンサ１０Ｂの材料と同一の材料を用い、また、同一のはんだ材料を用いている。したがって、積層型コンデンサ１０は、固有のぬれ角θ１およびぬれ角θ２が積層型コンデンサ１０Ｂとほぼ同じになる。
【００７５】
ここで、積層型コンデンサ１０は、一対の側面（第１の側面４ｅおよび第２の側面４ｆ）が凹状に湾曲しており、溶融したはんだが凹状に湾曲した側面部側（側面部３ａ１および側面部３ｂ１）に傾いて固有のぬれ角θ１を維持しようとする。また、積層型コンデンサ１０は、溶融したはんだが実装面とはんだフィレット層７の側面に沿った側面線Ｂ２との成す固有のぬれ角θ２を維持しようとする。
【００７６】
すなわち、積層型コンデンサ１０は、外部電極３（第１の外部電極３ａおよび第２の外部電極３ｂ）とはんだフィレット層７の側面に沿った側面線Ｂ１との成す固有のぬれ角θ１を有することになる。さらに、積層型コンデンサ１０は、実装面（基板電極９ａおよび基板電極９ｂ）とはんだフィレット層７の側面に沿った側面線Ｂ２との成す固有のぬれ角θ２を有することになる。したがって、積層型コンデンサ１０は、積層型コンデンサ１０Ｂと同じように、固有のぬれ角θ１およびぬれ角θ２を維持するように、はんだフィレット層７が形成されることになる。
【００７７】
この場合には、積層型コンデンサ１０は、積層型コンデンサ１０Ｂと比較して、凹状に湾曲した側面部３ａ１および側面部３ｂ１に、溶融したはんだが流入する自由空間が形成されることになる。このように、溶融したはんだは、自由空間によって凹状に湾曲した側面部３ａ１側および側面部３ｂ１側に傾いてぬれ角θ１を維持するためにはんだフィレット層７のＺ方向の高さが低くなる。したがって、凹状に湾曲した側面部３ａ１および側面部３ｂ１において、はんだフィレット層７は、Ｚ方向の高さが積層型コンデンサ１０Ｂの場合よりも低い位置で安定して形成されることになる。また、積層型コンデンサ１０は、溶融したはんだがぬれ角θ２も維持することになる。
【００７８】
積層型コンデンサ１０の実装構造体は、はんだの冷却とともに、溶融状態から固体状態に移行する際に若干の凝固収縮があるものの、溶融したはんだが固有のぬれ角θ１およびぬれ角θ２とほぼ同じぬれ角θ１およびぬれ角θ２を有した状態で凝固することになる。これによって、溶融したはんだは、一対の外部電極３の側面にはんだフィレット層７を形成する。したがって、積層型コンデンサ１０は、一対の外部電極３が凹状に湾曲しているので、はんだフィレット層７のＺ方向の高さを低くすることができる。
【００７９】
積層型コンデンサは、第１の側面４ｅおよび第２の側面４ｆのＺ方向の中央部付近では、振動振幅が大きくなりやすい。したがって、はんだフィレット層７が振動振幅の大きい第１の側面４ｅおよび第２の側面４ｆの中央部付近に存在することによって、積層型コンデンサは、はんだフィレット層７を介して振動が基板９に伝播しやすくなる。
【００８０】
一方、積層型コンデンサ１０は、一対の外部電極３が第１の側面４ｅおよび第２の側面４ｆの凹状に湾曲した湾曲面に設けられ、凹状に湾曲しているので、上述したように、はんだフィレット層７のＺ方向の高さを低くすることができる。
【００８１】
したがって、積層型コンデンサ１０は、はんだフィレット層７が振動振幅の大きい第１の側面４ｅおよび第２の側面４ｆの中央部付近に形成されにくく、はんだフィレット層７を介して振動が基板９に伝播しにくくなり、音鳴きを低減することができる。
【００８２】
また、積層型コンデンサ１０は、図３および図４に示すように、積層体１の長手方向に垂直な方向の断面視において第１の面４ａが両端部から中央部に向かって曲線となっている曲面部４ｇを有している。これによって、積層型コンデンサ１０は、第１の面延在部３ａ２および第１の面延在部３ｂ２が曲面部４ｇに沿って設けられる。したがって、第１の面延在部３ａ２および第１の面延在部３ｂ２は、曲面部４ｇに沿って設けられ、形状が曲面状になる。
【００８３】
積層型コンデンサ１０は、はんだが溶融した際に、第１の面延在部３ａ２および第１の面延在部３ｂ２には、下方（Ｚ方向の負側）に向かう張力が働くことになる。さらに、積層型コンデンサ１０は、はんだが溶融した際に、第１の面延在部３ａ２には積層体１の外側（Ｙ方向の負側）に向かう張力が働き、また、第１の面延在部３ｂ２には積層体１の外側（Ｙ方向の正側）に向かう張力が働くことになる。
【００８４】
したがって、積層型コンデンサ１０は、第１の面延在部３ａ２および第１の面延在部３ｂ２が曲面状であり、実装構造体において、下方（Ｚ方向の負側）に向かう張力および積層体１の外側（Ｙ方向の負側および正側）に向かう張力が互いにバランスを取り合うことができる。このように、積層型コンデンサ１０は、実装構造体において、張力がバランスを取り合っているので、基板電極９ａおよび基板電極９ｂに対して、ＸＹ方向の位置安定性を向上させるとともに、Ｚ方向に対する平衡安定性を向上させることができる。すなわち、積層型コンデンサ１０は、はんだの溶融時のセルフアライメント効果によって実装の安定性が向上する。
【００８５】
本開示は、上述の実施の形態１に係る積層型コンデンサ１０に限定されるものではなく、本開示の要旨を逸脱しない範囲において種々の変更および改良等が可能である。他の実施の形態について以下に説明する。なお、他の実施の形態に係る積層型コンデンサのうち、実施の形態１に係る積層型コンデンサ１０と同じ部分については、同一の符号を付して適宜説明を省略する。
【００８６】
＜実施の形態２＞
以下、本開示の実施の形態２に係る積層型コンデンサ１０Ａについて図６を参照しながら説明する。積層型コンデンサ１０Ａは、積層型コンデンサ１０とは異なり、一対の外部電極３が第１の端面４ｃおよび第２の端面４ｄの中央部を含むように設けられている。なお、積層型コンデンサ１０Ａは、一対の外部電極３が一対の端面（第１の端面４ｃおよび第２の端面４ｄ）に設けられているが、一対の外部電極３の形状は積層型コンデンサ１０と同じであり、また、他の構成等も積層型コンデンサ１０と同じである。
【００８７】
また、積層型コンデンサ１０Ａは、上述の積層型コンデンサ１０で適用した技術内容を適宜に採用することができる。また、第１の外部電極３Ａおよび第２の外部電極３Ｂは、積層型コンデンサ１０と同じように、上述のローラ転写法等を用いて、第１の端面４ｃおよび第２の端面４ｄに設けることができる。
【００８８】
図６（ａ）は、本開示の実施の形態２に係る積層型コンデンサ１０Ａを示す概略の斜視図であり、積層型コンデンサ１０Ａは、積層体１と、内部電極２と、一対の外部電極３とを備えている。積層体１は、誘電体層１ａと内部電極２（第１の内部電極２ａおよび第２の内部電極２ｂ）とが交互に積層された直方体状である。一対の外部電極３（第１の外部電極３Ａおよび第２の外部電極３Ｂ）は、積層体１の長手方向の一対の端面（第１の端面４ｃおよび第２の端面４ｄ）に設けられ、互いに異なる内部電極２にそれぞれ電気的に接続されている。
【００８９】
積層体１は、図６に示すように、一対の側面（第１の側面４ｅおよび第２の側面４ｆ）が凹状に湾曲しており、また、一対の端面（第１の端面４ｃおよび第２の端面４ｄ）が凹状に湾曲している。
【００９０】
また、積層体１は、下面の第１の面４ａが下方（Ｚ方向の負側）に向かって湾曲し、また、上面の第２の面４ｂが上方（Ｚ方向の正）に向かって湾曲している。すなわち、積層体１は、図６に示すように、積層体１の短手方向に垂直な方向の断面視において第１の面４ａが両端部から中央部に向かって曲線となる曲面部４ｉを両端部に有している。また、積層体１は、第２の面４ｂが両端部から中央部に向かって曲線となる曲面部４ｊを両端部に有している。積層体１は、第１の面４ａが下方に向かって緩やかな凸曲面となり、また、第２の面４ｂが上方に向かって緩やかな凸曲面となっている。
【００９１】
一対の外部電極３は、図６に示すように、第１の外部電極３Ａと第２の外部電極３Ｂと含んでいる。第１の外部電極３Ａは、端面部３Ａ１と第１の面延在部３Ａ２と第２の面延在部３Ａ３とを有している。端面部３Ａ１は、第１の端面４ｃの中央部を含むように凹状に湾曲した第１の端面４ｃに配置されている。第１の面延在部３Ａ２は、端面部３Ａ１から積層体１の長手方向（Ｘ方向）の中央部に向かって第１の面４ａ上に延在している。第２の面延在部３Ａ３は、端面部３Ａ１から積層体１の長手方向（Ｘ方向）の中央部に向かって第２の面４ｂ上に延在している。
【００９２】
また、第２の外部電極３Ｂは、端面部３Ｂ１と第１の面延在部３Ｂ２と第２の面延在部３Ｂ３とを有している。端面部３Ｂ１は、第２の端面４ｄの中央部を含むように凹状に湾曲した第２の端面４ｄに配置されている。第１の面延在部３Ｂ２は、端面部３Ａ１から積層体１の長手方向（Ｘ方向）の中央部に向かって第１の面４ａ上に延在している。第２の面延在部３Ｂ３は、端面部３Ｂ１から積層体１の長手方向（Ｘ方向）の中央部に向かって第２の面４ｂ上に延在している。また、端面部３Ａ１および端面部３Ｂ１は、上述の実施の形態１で示した形状を用いることができる。
【００９３】
第１の外部電極３Ａは、図６および図７に示すように、端面部３Ａ１が凹状に湾曲した第１の端面４ｃの中央部を含むように設けられ、第１の端面４ｃに引き出された第１の内部電極２ａに電気的に接続されている。また、第２の外部電極３Ｂは、図６および図７に示すように、端面部３Ｂ１が凹状に湾曲した第２の端面４ｄの中央部を含むように設けられ、第２の端面４ｄに引き出された第２の内部電極２ｂに電気的に接続されている。
【００９４】
図８（ａ）は、積層型コンデンサ１０と同じように、積層型コンデンサ１０Ａを基板９に実装した状態を示しており、図８（ｂ）は、積層型コンデンサ１０Ａを基板９に実装した状態であって、図８（ａ）のＦ−Ｆ線で切断した断面図である。
【００９５】
積層型コンデンサは、第１の端面４ｃおよび第２の端面４ｄのＺ方向の中央部付近では、振動振幅が大きくなりやすい。したがって、はんだフィレット層７が振動振幅の大きい第１の端面４ｃおよび第２の端面４ｄの中央部付近に存在することによって、積層型コンデンサは、はんだフィレット層７を介して振動が基板９に伝播しやすくなる。
【００９６】
一方、積層型コンデンサ１０Ａは、一対の外部電極３が第１の端面４ｃおよび第２の端面４ｄの凹状に湾曲した湾曲面に設けられ、凹状に湾曲しているので、実施の形態１で上述したように、はんだフィレット層７のＺ方向の高さを低くすることができる。
【００９７】
したがって、積層型コンデンサ１０Ａは、はんだフィレット層７が振動振幅の大きい第１の端面４ｃおよび第２の端面４ｄの中央部付近に形成されにくく、はんだフィレット層７を介して振動が基板９に伝播しにくくなり、音鳴きを低減することができる。
【００９８】
また、積層型コンデンサ１０Ａは、図６に示すように、積層体１の短手方向に垂直な方向の断面視において第１の面４ａが両端部から中央部に向かって曲線となっている曲面部４ｉを有している。これによって、積層型コンデンサ１０Ａは、第１の面延在部３Ａ２および第１の面延在部３Ｂ２が曲面部４ｉに沿って設けられる。したがって、第１の面延在部３Ａ２および第１の面延在部３Ｂ２は、曲面部４ｉに沿って設けられ、形状が曲面状になる。
【００９９】
積層型コンデンサ１０Ａは、はんだが溶融した際に、第１の面延在部３Ａ２および第１の面延在部３Ｂ２には、下方（Ｚ方向の負側）に向かう張力が働くことになる。さらに、積層型コンデンサ１０は、はんだが溶融した際に、第１の面延在部３Ａ２には積層体１の外側（Ｘ方向の負側）に向かう張力が働き、また、第１の面延在部３Ｂ２には積層体１の外側（Ｘ方向の正側）に向かう張力が働くことになる。
【０１００】
したがって、積層型コンデンサ１０Ａは、第１の面延在部３Ａ２および第１の面延在部３Ｂ２が曲面状であり、実装構造体において、下方（Ｚ方向の負側）に向かう張力および積層体１の外側（Ｘ方向の負側および正側）に向かう張力が互いにバランスを取り合うことができる。このように、積層型コンデンサ１０は、実装構造体において、張力がバランスを取り合っているので、基板電極９ａおよび基板電極９ｂに対して、ＸＹ方向の位置安定性を向上させるとともに、Ｚ方向に対する平衡安定性を向上させることができる。すなわち、積層型コンデンサ１０Ａは、はんだの溶融時のセルフアライメント効果によって実装の安定性が向上する。
【０１０１】
本開示は、上述した実施の形態に特に限定されるものではなく、本開示の範囲内で種々の変更および改良が可能である。
【符号の説明】
【０１０２】
１  積層体
１ａ  誘電体層
２  内部電極
２ａ  第１の内部電極
２ａａ  引出部
２ｂ  第２の内部電極
２ｂａ  引出部
３  外部電極
３ａ、３Ａ  第１の外部電極
３ａ１  側面部
３Ａ１  端面部
３ａ２、３Ａ２  第１の面延在部
３ａ３、３Ａ３  第２の面延在部
３ｂ、３Ｂ  第２の外部電極
３ｂ１  側面部
３Ｂ１  端面部
３ｂ２、３Ｂ２  第１の面延在部
３ｂ３、３Ｂ３  第２の面延在部
４ａ  第１の面
４ｂ  第２の面
４ｃ  第１の端面
４ｄ  第２の端面
４ｅ  第１の側面
４ｆ  第２の側面
５  下地電極
６  金属層
６ａ  第１の金属層
６ｂ  第２の金属層
７、７０  はんだフィレット層
８  ２等分線
９  基板
９ａ、９ｂ  基板電極
１０、１０Ａ、１０Ｂ  積層型コンデンサ
１６  回転転写ローラ
１７  導電性ペースト
１８  射出ニードル
１９  スクレッパー
【図１】
2017090530.tif 000003
【図２】
2017090530.tif 000004
【図３】
2017090530.tif 000005
【図４】
2017090530.tif 000006
【図５】
2017090530.tif 000007
【図６】
2017090530.tif 000008
【図７】
2017090530.tif 000009
【図８】
2017090530.tif 000010
【図９】
2017090530.tif 000011
【国際調査報告】
2017090530.tif 000012
2017090530.tif 000013
2017090530.tif 000014
2017090530.tif 000015